(57)【要約】      （修正有）【課題】寿命を向上し効果的な紙とクレジットカード、CD及びディスクの細断装置を提供する。【解決手段】一般の従来の文書細断機の刃部セットの傍に、更にもう１組のCDとディスクを細断するための刃部セットを設け、該セットは互いに位置ずれである複数の円柱型の刀身からなる刃部セットであり、また、位置ずれの刀身と刀身が前後に配列され、CDやディスクが上蓋のCD入れ口とディスク入れ口から刃部セットの互いに位置ずれである二つの刀身の間に入り込んで、細断される。【選択図】図４
0003117915.tif 000002
【実用新案登録請求の範囲】
【請求項１】
上蓋、ベース、モーター、減速機及び二つの刃部セット等の部品から組み立てられ、
上蓋の上端に、紙入れ口、クレジットカード入れ口、CD入れ口、ディスク入れ口及びスウィッチが含有され、
モーターと減速機及び二つの刃部セットが、それぞれ、ベース上に位置付けられ、モーターにより複数のギアからなる減速機が駆動されるとともに、二つの刃部セットのギアが回転されるため、連接ギアのロッドによって二つの刃部セットが回転され、その一つの刃部セットの二つの円形紙細断刀の外側に、それぞれとげが設けられ、二つの紙細断刀が、互いに位置ずれのように結合される細断装置であって、
もう１組の刃部セットは、互いに位置ずれである複数の円柱型刀身があり、位置ずれである刀身と刀身との隙間が、上蓋のCD入れ口とディスク入れ口に対応し、当該CD入れ口とディスク入れ口により、異なるサイズと厚さのCDとディスクが細断される、
ことを特徴とする紙とクレジットカード、CD及びディスクの細断装置。
【請求項２】
複数の円柱型刀身の円周表面は、ギア状であり、位置ずれである二つの刀身が、前後に配列される、ことを特徴とする請求項１に記載の紙とクレジットカード、CD及びディスクの細断装置。
【考案の詳細な説明】
【技術分野】
【０００１】
本考案は、紙とクレジットカード、CD及びディスクの細断装置に関し、特に、２組の刃部が設けられ、その１組の刃部が、紙とクレジットカードとを細断し、もう１組の刃部が、CDとディスクとを細断し、CDとディスクとを細断する複数の当該刃部セットにおいて、位置ずれの刀身と刀身とが前後に配列され、当該刃部によりCDとディスクとが細断される細断装置に関する。
【背景技術】
【０００２】
一般の、従来の文書細断機は、図１、２のように、一つの紙入れ口100と２組の刃部200があるため、紙を細断できるが、CDを細断できず、また、ある業者は、文書細断機上に、更にもう一つのCD入れ口を設置して、二つの入れ口に同一の刃部が共用され、紙とCDとを細断することに供するものを提案したが、同一の２組の刃部が、異なる用途に使われるため、刃部が損害しやすくて、文書細断機の寿命がよくない。
【０００３】
本考案者は、業界においての長年の経験に基づいて、慎重に研究し、また、何度も試作して、従来の製品の欠陥を解決でき、効果が向上される紙とクレジットカード、CD及びディスクの細断装置を開発した。
【考案の開示】
【考案が解決しようとする課題】
【０００４】
本考案の主な目的は、従来の製品の欠陥を解決でき、効果が向上される紙とクレジットカード、CD及びディスクの細断装置を提供する。
【課題を解決するための手段】
【０００５】
一般の従来の文書細断機の刃部セットの傍に、連接ギアにより連接されるもう１組の独自な二つの円柱型刃部セットが設けられ、これにより、ベース上に、モーターと減速機によって駆動される１組の紙細断刀ともう１組の円周表面ギア状の刀身が配列され、２組の異なる刃部セットにより、それぞれ、紙とクレジットカード、CD及びディスクが細断され、独自の刃部セットにより細断装置の寿命が向上され、また、互いに位置ずれである複数の円柱型刀身により、異なる大きさや厚さを有するCDやディスクが細断される。
【０００６】
以下、図面を参照しながら、本考案を詳しく説明する。
【考案を実施するための最良の形態】
【０００７】
図３と図４のように、本考案は、上蓋1、ベース2、モーター3、減速機4及び二つの刃部セット5、6等の部品から組立てられ、
上蓋1の上端に、紙入れ口11、クレジットカード入れ口12、CD入れ口、ディスク入れ口13及び文書細断機スウィッチ14（図３のように）が含有され、上蓋1の底面に、集積回路板、電線及び各種類の回路素子（図に未表示）が固定され、ベース2内に、モーター3、減速機4及び二つの刃部セット5、6等の部品が収納され、モーター3が、電線を介して、上蓋1の集積回路板とスウィッチに接続され、減速機4が、モーター3によって回転され、減速機4が、複数のギアからなる減速機構であり、モーター3の心軸が、減速機4のギアセットと軸着され、二つの刃部セット5、6が、減速機4によって回転され、図５のように、刃部セット5は、互いに位置ずれである２組の外側にとげ511、521がある円形紙細断刀51、52によって形成され、紙細断刀51、52同士の間に紙ガイド53が実装され、紙A（或いはクレジットカード）は、上蓋1の上端にある紙入れ口11（或いはクレジットカード入れ口12）から、二つの紙細断刀51、52の間に入れ込まれて細断され、その特徴は、もう１組の独自なCDとディスクを細断するための刃部セット6が、図４と図６のように、互いに位置ずれである複数の円柱型刀身61、62によって形成され、位置ずれの刀身61と刀身62との隙間が、上蓋1のCD入れ口とディスク入れ口13に対応し、やや大きい且つ薄いCD
BがCD入れ口とディスク入れ口13に挿入されると、複数の刀身61、62によってCD Bが細断され、やや小さい且つ厚いディスクがディスク入口131に挿入されると、右側の円柱型刀身61、62によってディスクが細断される。
【０００８】
図６のように、複数の円柱型刀身61、62の円周表面にギア状に配列される二つの刀身61、62によって、CD
B（或いはディスク）が細断される。
【０００９】
以上のように、本考案に係わる紙とクレジットカード、CD及びディスクの細断装置は、文書細断機のベース内に複数の円柱型である位置ずれの二つの刀身が収納され、位置ずれである二つの刀身同士の間が、上蓋のCD入れ口とディスク入れ口に対応するため、本考案は、紙とクレジットカードを細断できるだけでなく、CDとディスクも細断できるため、実用的であり、また、公的に披露されることがなく且つ刊行物に刊行されないから、法に従って出願する。
【図面の簡単な説明】
【００１０】
【図１】従来の製品の外観図
【図２】従来の製品の構造図
【図３】本考案に係わる上蓋の上面図
【図４】本考案の内部構造図
【図５】本考案に係わる紙とクレジットカードを細断する刃部セットの平面構造図
【図６】本考案に係わるCDとディスクを細断するための刃部セットの平面構造図
【符号の説明】
【００１１】
1             上蓋
11            紙入れ口
12            クレジットカード入れ口
13            CD入れ口とディスク入れ口
131           ディスク入口
14            スウィッチ
2             ベース
3             モーター
4             減速機
5、6          刃部セット
51、52        紙細断刀
511、521      とげ
53            紙ガイド
61、62        刀身
100           紙入れ口
200           刃部
A             紙
B             CD
【図１】
0003117915.tif 000003
【図２】
0003117915.tif 000004
【図３】
0003117915.tif 000005
【図４】
0003117915.tif 000006
【図５】
0003117915.tif 000007
【図６】
0003117915.tif 000008